(57)【要約】【課題】  コンタクトの保護をより確実に行うことができる電気コネクタを提供すること。【解決手段】  ガイド部材１２ａ、１２ｂと、内部に第１コンタクト１４とを有する第１コネクタ１０と、ハウジング２１と、ガイド収納空間２４ａ、２４ｂと、第１コンタクトが挿入される差込口３５内に設けられた第１コンタクトと接続される第２コンタクト２８と、ハウジング２１に収容され差込口３５を塞ぐシャッター部材４０とを有する第２コネクタ２０とからなり、第２コネクタ２０のガイド収納空間２４ａ、２４ｂには、シャッター部材４０がハウジング２１内へ押し込まれるのを阻止する係止部材４５ａ、４５ｂが装着されており、ガイド収納空間２４ａ、２４ｂにガイド部材１２ａ、１２ｂを挿入すると、係止部材４５ａ、４５ｂがスライドしてシャッター部材４０との係止を解除し、第１及び第２コネクタ１０、２０の接続が行われる電気コネクタ１。【選択図】      図３
2006004842.tif 000002
【特許請求の範囲】
【請求項１】
両端部に設けられたガイド部材と、内部に複数本の第１コンタクトとを有する第１コネクタと、
矩形状のハウジングと、前記ガイド部材が収納されるガイド収納空間と、前記第１コンタクトが挿入される差込口内に設けられた前記第１コンタクトと接続される第２コンタクトと、前記ハウジングに収容され前記差込口を塞ぐシャッター部材とを有する第２コネクタと、からなる電気コネクタであって、
前記第２コネクタのガイド収納空間には、前記シャッター部材が前記ハウジング内へ押し込まれるのを阻止する係止部材がスライド自在に装着されており、前記ガイド収納空間に前記ガイド部材を挿入すると、前記係止部材がスライドして前記シャッター部材との係止を解除し、前記第１及び第２コネクタの接続が行われるようにしたことを特徴とする電気コネクタ。
【請求項２】
前記係止部材は、実質的にＵ字状の枠体からなり、このＵ字状の枠体の内側の間隔は前記ガイド収納空間の直径と実質的に同一で、かつＵ字状の各先端部に係止突片が形成されており、この枠体はバネ体により付勢され、前記ガイド収納空間に前記ガイド部材が挿入される前は、前記Ｕ字状枠体の底部で前記ガイド収納空間の開口部の一部を塞いで開口を狭めると、同時に前記係止突片を前記シャッター部材の端部に係止させ、前記狭まった開口へ前記ガイド部材が挿入されると、前記ガイド部材により前記バネ体の付勢に抗して前記Ｕ字状枠体がスライドされ、前記シャッター部材との係止が解除されることを特徴とする請求項１記載の電気コネクタ。
【請求項３】
前記係止部材は、Ｕ字状部分の底部の外側からバネ体によって押圧されていることを特徴とする請求項２記載の電気コネクタ。
【請求項４】
前記バネ体は、前記ハウジングを覆うカバー体と一体に形成されていることを特徴とする請求項３記載の電気コネクタ。
【発明の詳細な説明】
【技術分野】
【０００１】
本発明は、プラグコネクタとリセプタクルコネクタとからなる電気コネクタに係り、さらに詳しくは、一方のコネクタの差込口にシャッター機構を設け、かつ、このシャッター部材の開閉を制御する係止部材を設けた電気コネクタに関する。
【背景技術】
【０００２】
プラグコネクタとリセプタクルコネクタとからなる電気コネクタは、両コネクタの接続時に、コンタクトが適正位置で良好に接触されるようにガイド部材が設けられ、且つコンタクトが障害物等に衝突して損傷しないように、コネクタの差込口に開閉自在なシャッター部材が設けられている。
【０００３】
図８は、既に公知のシャッター機構を備えた電気コネクタを示す正面図、図９は、図８の電気コネクタのリセプタクルコネクタを示す外観斜視図であって、図９（ａ）はプラグが接続される前の差込口がシャッター部材で閉鎖されている状態を示す図、図９（ｂ）はシャッター部材がリセプタクルコネクタの差込口内へ押し込まれた状態を示す図である。
【０００４】
この電気コネクタ１００は、図８、図９に示すように、リセプタクルコネクタ（以下、リセプタクルという）１２０と、プラグコネクタ（以下、プラグという）１１０とからなり、プラグ１１０には、ガイド突起１１３ａ、１１３ｂが設けられ、リセプタクル１２０にはプラグ１１０のガイド突起１１３ａ、１１３ｂが挿入される貫通穴１０５ａ、１０５ｂが設けられ、さらに差込口１０８にはシャッター機構１０７が設けられている。
【０００５】
シャッター機構１０７は、板状でコンタクトを挿通する複数個の開口１０７ａ、１０７ｂを有し、バネ体（図示省略）により差込口１０８付近まで押圧され、持ち上げられている。なお、図８、図９中の符号１０３はリセプタクルハウジング、１０４はカバー部材、１０６ａ、１０６ｂはリセプタクル側コンタクト、１１１はプラグハウジング、１１３はカバー部材、１１４はプラグ側コンタクトを示している。
【０００６】
プラグ１１０がリセプタクル１２０に差し込まれると、先ず、ガイド突起１１３ａ、１３ｂが貫通穴１０５ａ、１０５ｂへ挿入され、両コネクタの位置決めがなされる。さらにプラグ１１０が押し込まれると、プラグ１１０の先端がシャッター部材１０７の表面に当接してバネ体の力に抗して押し込まれる。すると、シャッター部材１０７の開口１０７ａ、１０７ｂからリセプタクル側コンタクト１０６ａ、１０６ｂが露出され、プラグ側コンタクト１１４と接触される。
【０００７】
この電気コネクタによると、プラグとリセプタクルとは、接続時に位置決め手段によりプラグとリセプタクルとの位置決めが正確になる。また、非接続時は、リセプタクルの差込口がシャッター部材で閉鎖され、コンタクトの保護が可能となっている。
【０００８】
しかしながら、このシャッター部材は、単にバネ体により差込口方向へ押上げて差込口が閉鎖されているだけ、すなわちシャッター部材が外部からの圧力により上下動自在に備えられているため、この電気コネクタに対して比較的大きな部材の衝突からは、コンタクトを保護することができるが、このシャッター部材が例えば先端が尖った部材で押されると、簡単にシャッター部材がハウジング内へ押下げられて内部のコンタクトが露出してしまうため、露出したコンタクトに上記のような尖った部材が衝突し、コンタクトが損傷する恐れがある。
【０００９】
また、下記特許文献１には、別タイプのシャッター機構を備えた電気コネクタが記載されている。この電気コネクタは、位置決め手段とシャッター機構とを連動させたものであって、位置決めに連動してシャッターが開き、リセプタクルへのプラグの差込ができるようになっている。
【００１０】
より具体的には、位置決め手段は、プラグコネクタに設けたガイドポストと、リセプタクルに設けたガイドブッシュとからなり、また、シャッター機構は、位置決め手段のガイドポストを筒状に形成し、その先端部にガイドポストより突出するガイドピンを設けたものである。そして、シャッター部材を開閉駆動する部材をガイドブッシュに装着して、ガイドポストがガイドブッシュに挿入されるのに連動してシャッター部材を２分して開いて、プラグをリセプタクルに差込むようになっている。
【００１１】
しかしながら、下記特許文献１に記載の電気コネクタも、シャッター部材は、単にバネ体により差込口方向へ押上げて差込口が閉鎖されているだけ、すなわちシャッター部材が係止されていないので、このシャッター部材を指等で押し広げれば、簡単にコンタクトが外部に露出してしまい、よってコンタクトを確実に守ることは難しい。
【００１２】
【特許文献１】特開２００１−６８０５号公報（図１、段落［００２０］〜［００２１］）
【発明の開示】
【発明が解決しようとする課題】
【００１３】
本発明者らは上記問題点に鑑み、コネクタ内のコンタクトをより確実に保護することができる電気コネクタを種々検討した結果、コンタクトを守るシャッター部材を係止する係止部材を設け、コネクタが接続していないときには、シャッター部材が係止されコンタクトが露出しないようにすれば、上記問題点を解決することができることを見出し、本発明に至ったものである。
【００１４】
すなわち、本発明の目的は、コンタクトの保護をより確実に行うことができる電気コネクタを提供することにある。
【課題を解決するための手段】
【００１５】
上記目的を達成するために、請求項１の発明に係る電気コネクタは、両端部に設けられたガイド部材と、内部に複数本の第１コンタクトとを有する第１コネクタと、
矩形状のハウジングと、前記ガイド部材が収納されるガイド収納空間と、前記第１コンタクトが挿入される差込口内に設けられた前記第１コンタクトと接続される第２コンタクトと、前記ハウジングに収容され前記差込口を塞ぐシャッター部材とを有する第２コネクタと、からなる電気コネクタであって、
前記第２コネクタのガイド収納空間には、前記シャッター部材が前記ハウジング内へ押し込まれるのを阻止する係止部材がスライド自在に装着されており、前記ガイド収納空間に前記ガイド部材を挿入すると、前記係止部材がスライドして前記シャッター部材との係止を解除し、前記第１及び第２コネクタの接続が行われるようにしたことを特徴とする。
【００１６】
請求項２に記載の発明は、請求項１に記載の電気コネクタに係り、前記係止部材は、実質的にＵ字状の枠体からなり、このＵ字状の枠体の内側の間隔は前記ガイド収納空間の直径と実質的に同一で、かつＵ字状の各先端部に係止突片が形成されており、この枠体はバネ体により付勢され、前記ガイド収納空間に前記ガイド部材が挿入される前は、前記Ｕ字状枠体の底部で前記ガイド収納空間の開口部の一部を塞いで開口を狭めると、同時に前記係止突片を前記シャッター部材の端部に係止させ、前記狭まった開口へ前記ガイド部材が挿入されると、前記ガイド部材により前記バネ体の付勢に抗して前記Ｕ字状枠体がスライドされ、前記シャッター部材との係止が解除されることを特徴とする。
【００１７】
請求項３に記載の発明は、請求項２に記載の電気コネクタに係り、前記係止部材は、Ｕ字状部分の底部の外側からバネ体によって押圧されていることを特徴とする。
【００１８】
請求項４に記載の発明は、請求項３に記載の電気コネクタに係り、前記バネ体は、前記ハウジングを覆うカバー体と一体に形成されていることを特徴とする。
【発明の効果】
【００１９】
請求項１の発明によれば、差込口を塞ぐシャッター部材は、第１コネクタとの非接続時には、係止部材によってハウジング内への押込みが規制されているので、例えば先端が尖った部材でシャッター部材を押しても、シャッター部材がハウジング内へ押し込まれて、コンタクトが露出し、障害物等と接触することがない。したがって、第２コネクタは、非接続時に、シャッター部材の押込みが規制された状態で保持されているので、不用意にシャッター部材が開かれ、内部のコンタクトに障害物等が衝突してコンタクトが損傷することを防止できる。
【００２０】
請求項２の発明によれば、係止部材は、Ｕ字状の枠体で形成できるので、製作が容易で且つ安価にできる。また、ガイド収納空間の開口部への固定も簡単にでき、取り外し、メンテナンス等が容易になる。
【００２１】
請求項３の発明によれば、係止部材であるＵ字状枠体のスライドがスムーズになる。
【００２２】
請求項４の発明によれば、係止部材を付勢するバネ体をカバー体と一体に形成したので、部品点数を削減でき、組立てが簡単になる。
【発明を実施するための最良の形態】
【００２３】
以下、図面を参照して、本発明の最良の実施形態を説明する。但し、以下に示す実施形態は、本発明の技術思想を具体化するための電気コネクタを例示するものであって、本発明をこの電気コネクタに特定することを意図するものではなく、特許請求の範囲に含まれるその他の実施形態のものも等しく適用し得るものである。
【実施例】
【００２４】
図１は、本発明の実施例に係るリセプタクルコネクタとプラグコネクタとからなる電気コネクタを示す側面図、図２はリセプタクルコネクタを示す外観斜視図、図３は図２の分解斜視図、図４は図３の係止部材を拡大して示す斜視図、図５は、リセプタクルコネクタの各構成部品を示し、図５（ａ）はリセプタクルハウジングを示す斜視図、図５（ｂ）はカバー体を示す斜視図、図６は、リセプタクルコネクタのカバー体を取り外した図を示し、図６（ａ）は概観斜視図、図６（ｂ）は図６（ａ）から更にシャッター機構を取り外した概観斜視図、図７は、係止部材及びシャッター部材の移動状態を示す斜視図、側断面図、及び要部拡大断面図である。なお、図５（ｂ）では、カバー体が上下逆さまにして図示されている。
【００２５】
本発明の電気コネクタ１は、図１、図２に示すように、通常、例えば可搬型パーソナルコンピュータ等の機器本体側に装着されるリセプタクルコネクタ（以下、リセプタクルという）２０と、上記パーソナルコンピュータの付属機器（例えばポートリプリケータ、ドッキングステーション等）側に装着されるプラグコネクタ（以下、プラグという）１０とからなり、プラグ１０には、ガイド部材１２ａ、１２ｂが設けられ、リセプタクル２０にはプラグ１０のガイド部材１２ａ、１２ｂが収納されるガイド収納空間２４ａ、２４ｂが設けられ、さらに差込口３５にはシャッター部材４０を設けた構成を有する。なお、この電気コネクタ１において、プラグ１０は公知のプラグと同じ構成を有するものである。
本発明の電気コネクタ１については、図２、図３に示すように、リセプタクル２０の両端に形成したガイド収納空間２４ａ、２４ｂに、プラグ１０との非接続時にシャッター部材４０が押し込まれるのを阻止する係止部材４５ａ、４５ｂが装着された構造に特徴がある。
【００２６】
以下に、個々の構成部品、すなわちプラグ１０、リセプタクル２０及びこれらに付属する各部品を説明する。
【００２７】
プラグ１０は、図１に示すように、ほぼ直方体形状を有するプラグハウジング１１と、このプラグハウジング１１に装着された複数本のプラグ側コンタクト１４と、プラグハウジング１１の両端部に装着されるガイド部材１２ａ、１２ｂからなる。ガイド部材１２ａ、１２ｂは、所定の長さを有する柱状体からなり、かつ先端部が尖った形状を有している。なお、本実施例のガイド部材は円柱状の胴部と円錐状の先端部から形成されている。
【００２８】
リセプタクル２０は、図２、図３、図４に示すように、上部に開口部２１ｄを有し細長な箱状のリセプタクルハウジング２１と、このリセプタクルハウジング２１の開口部２１ｄに対応した部分に、ほぼ同じ大きさの開口部３５を有しリセプタクルハウジング２１の上部開口部２１ｄ、各側壁面２１ａ、２１ｂ、およびブロック体２３ａ、２３ｂの側壁面を覆うカバー体３０と、このカバー体３０の開口部３５を塞ぐシャッター部材４０と、リセプタクルハウジング２１の開口部２１ｄに嵌め込まれるシャッター部材４０がリセプタクルハウジング２１内へ押し込まれるのを阻止する係止部材４５ａ、４５ｂとを備えている。カバー体３０の開口部３５は、プラグ１０の差込口となっている。
【００２９】
箱状のリセプタクルハウジング２１は、図２、図３、図４に示すように、上部に開口部２１ｄを有し、長手方向に所定高さの両側壁２１ａ、２１ｂを有し、且つこの長手方向と直交する短辺側の両端部が、ほぼ四角形状のブロック体２３ａ、２３ｂで閉塞され、また両ブロック体２３ａ、２３ｂの間にコンタクトを装着する複数個の突出部２５ａ、２５ｂが設けられている。また、リセプタクルハウジング２１の底壁２１ｃには、外方向へ突出したカバー体３０の係止部３２を係止する係止穴２１ｅが形成されている。
そして、両側壁２１ａ、２１ｂ、底壁２１ｃ、ブロック体２３ａ、２３ｂ及び突出部２５ａ、２５ｂは、合成樹脂材等で一体成型により造られる。
【００３０】
各ブロック体２３ａ、２３ｂには、図３、図４に示すように、上方から下方へ貫通するガイド収納空間２４ａ、２４ｂが形成される。これらのガイド収納空間２４ａ、２４ｂは、その入口がほぼ円形状をなし、その直径は、後述するプラグのガイド部材１２ａ、１２ｂより若干大きく形成され、ガイド部材１２ａ、１２ｂがガイド収納空間２４ａ、２４ｂ内を円滑に挿入されるようになっている。なお、ガイド収納空間２４ａ、２４ｂの開口の形状は円形状に限らず、任意の形状、例えば楕円形、長方形等何れでもよく、この形状に合わせて枠体の貫通穴３４ａ、３４ｂの形状も変更される。すなわち、これらの形状は、ガイド部材１２ａ、１２ｂの形状に合わせて任意の形状に変形されるものである。また、本実施例ではこのガイド収納空間２４ａ、２４ｂを貫通穴として説明するが、有底の凹部としてもよく、ガイド部材１２ａ、１２ｂの長さと、リセプタクル２０本体の高さとの関係によって適宜変更し得るものである。
【００３１】
また、各ブロック体２３ａ、２３ｂの内側壁面には上壁面から底壁面に向かって半円形状の縦溝２３ａ'、２３ｂ'が設けられる。この縦溝は、下方部が底壁２１ｃに達しているが、底壁面を貫通していない。この縦溝には、図３に示すように、コイル状のバネ体２６ａ、２６ｂが装着され、これらのバネ体２６ａ、２６ｂが、小突起４２ａ、４２ｂを介してシャッター部材４０に接続されることで、シャッター部材４０を上方面へ押し上げるようになっている。
【００３２】
複数個の突出部２５ａ、２５ｂは、リセプタクルハウジング２１の底壁２１ｃからほぼ垂直方向に突出し、所定の高さを有し、各突出部の側壁に縦溝が形成され、これらの縦溝内にリセプタクル側コンタクト２８が装着される。
各突出部２５ａ、２５ｂには異なる種類のコンタクトが装着される。突出部２５ａには、例えば信号用コンタクトが装着され、他の突出部２５ｂには、電源用コンタクトが装着される。なお、これらの突出部及びコンタクトの構造、及び各突出部へのコンタクトの装着方法は、既に公知のものと同じであるので説明を省略する。
【００３３】
各ブロック体２３ａ、２３ｂのガイド収納空間２４ａ、２４ｂには、係止部材４５ａ、４５ｂが装着される。これらの係止部材４５ａ、４５ｂは、同じ形状を有しており、その一つの係止部材４５ａを図４に示した。
係止部材４５ａは、図４に示すようにほぼＵ字状の枠体からなり、枠体を構成する枠片は所定の幅長を有している。そして、この係止部材、すなわちＵ字状枠体４５ａの外側幅長は、リセプタクルハウジング２１の長手方向と直行する方向のブロック体２３ａの横幅とほぼ同じ長さであり、また内側開口部４６ａの間隔はガイド収納空間２４ａの直径とほぼ同じに形成される。更に、Ｕ字状枠体４５ａの高さは、リセプタクルハウジング２１の長手方向のブロック体２３ａとほぼ同じにし、Ｕ字状の両側片４９ａ、４９ｂの先端部には係止突片４８ａ、４８ｂが形成される。
これらの係止部材４５ａ、４５ｂ 、すなわちＵ字状枠体は、各ブロック体２３ａ、２３ｂの上面にＵ字状の内側開口部４６ａ、４６ｂが互いに対向するようにして載置し、ハウジング２２の長手方向へスライド自在に固定される。その固定は、各ブロック体２３ａ、２３ｂの上面と後述するカバー体３０との間に隙間を設け、この隙間に係止部材４５ａ、４５ｂがスライド移動できるように保持固定される。
【００３４】
カバー体３０は、図３、図５（ｂ）に示すように、リセプタクルハウジング２１の開口部２１ｄに対応する部分に、ほぼ同じ大きさの開口部３５を有し、この開口部３５を有する上壁面の外周端から下方へ折曲して外周壁３１ａ、３１ｂ、３１ｅ、３１ｄが形成される。各外周壁３１ａ、３１ｂ、３１ｅ、３１ｄの高さは、リセプタクルハウジング２１の高さと同じになっている。また、これらの外周壁は、所定間隔毎に外周壁をさらに延ばし、延ばした先端部に係止部３２が形成される。この係止部３２は、リセプタクルハウジング２１を覆った際に、この係止部３２を係止穴２１ｅに挿通され、固定される。また、例えば係止部３２をリセプタクル２０が取り付けられる配線基板（図示省略）に半田付けにより固定すればアース端子の役割を備えることにもなり、より好ましい。
【００３５】
また、短辺の外周壁３１ｄ、３１ｅには、両端の一部を延ばして、内側へ折曲することにより、バネ体３３ａ、３３ｂが形成される。これらのバネ体３３ａ、３３ｂは、Ｕ字状枠体４５ａ、４５ｂの外側底部４７ａ、４７ｂ（図示省略）を押圧するものである。
【００３６】
シャッター部材４０は、図３に示すように、リセプタクルハウジング２１の開口部２１ｄの大きさより若干小さい面積を有する板状体からなり、プラグ差込時にプラグの突出部１５（図１参照）でハウジング内へ押し込まれる大きさになっている。また、シャッター部材４０の表面には、突出部２５ａ、２５ｂが挿通される複数個の開口部４１ａ、４１ｂが形成される。さらに、このシャッター部材４０の対向する短辺のほぼ中央部に、端縁から外方へ突出し下方へ垂下した小突起４２ａ、４２ｂが形成される。これらの小突起４２ａ、４２ｂは、組立て時にバネ体２６ａ、２６ｂ内に挿入されて、シャッター部材４０の押込み移動を円滑にするものである。そして、このシャッター部材４０は絶縁材で造るのが好ましい。
【００３７】
上述の構成を有するリセプタクル２０は、例えば、以下の手順で組立てる。
図３、図４を参照すると、先ず、リセプタクルハウジング２１の各突出部２５ａ、２５ｂにそれぞれコンタクトを装着する。次に、リセプタクルハウジング２１の各縦溝２３ａ'、２３ｂ'にバネ体２６ａ、２６ｂを挿入し、小突起４２ａ、４２ｂをバネ体２６ａ、２６ｂ内に挿入しながら開口部２１ｄにシャッター部材４０を嵌め込む。次いで、リセプタクルハウジング２１の両端部のブロック体２３ａ、２３ｂ上に、一対のＵ字状枠体４５ａ、４５ｂの各開口部４６ａ、４６ｂが互いに対向するようにし、更に係止突片４８ａ、４８ｂがシャッター部材４０の裏面側に位置するようにＵ字状枠体４５ａ、４５ｂを載置する。その後、カバー体３０でシャッター部材４０及びＵ字状枠体４５ａ、４５ｂを覆い、カバー体４５ａ、４５ｂの係止部３２をハウジング２２の係止部を係合させて、カバー体４５ａ、４５ｂを固定する。この固定によりカバー体に形成されたバネ体３３ａ、３３ｂがＵ字状枠体４５ａ、４５ｂの外側底部４７ａ、４７ｂ（図示省略）を押圧し、各枠体４５ａ、４５ｂが互いに近づく方向へスライドされる。
そうすると、各Ｕ字状枠体４５ａ、４５ｂの底部がガイド収納空間２４ａ、２４ｂに重なり、そのガイド収納空間２４ａ、２４ｂの開口部の一部を塞ぐことになる。また、同時に各Ｕ字状枠体４５ａ、４５ｂの各係止突片４８ａ、４８ｂがシャッター部材４０の端部へ突出してシャッター部材４０の裏面と係止する。この係止により、シャッター部材４０を差込口３５から押しても、シャッター部材４０がハウジング内へ押し込まれることがない。
【００３８】
次に、図１、図３〜図６を参照して、係止部材４５ａ、４５ｂの作用について説明を行う。
図５（ａ）は、リセプタクルにプラグが挿入された場合のリセプタクルの状態を説明したものであり、図６（ａ）はプラグが挿入されていない場合のリセプタクルを説明したものであり、図６（ｂ）は図６（ａ）のリセプタクルからシャッター部材を取り外したものである。そして、図５（ａ）、図６（ａ）、図６（ｂ）では、いずれもリセプタクルの内部が分かりやすいようにカバー体３０が取り外されている。
【００３９】
リセプタクル２０にプラグ１０が挿入されていないときは、図６（ａ）、図６（ｂ）に示すように、シャッター部材４０は、差込口３５付近に押し上げられており、更に、図６に示すようにシャッター部材４０の裏面側に係止部材４５ａ、４５ｂの係止突片４８ａ、４８ｂがブロック体２３ａ、２３ｂから開口部２１ｄ内に飛び出ており、これにより、シャッター部材４５の開口部２１ｄ内への押し込みを阻止している。また、このときにはカバー体３０に設けられたバネ体３３ａ、３３ｂにより、係止部材４５ａ、４５ｂ全体が、開口部２１ｄ方向に押圧されているため、係止部材４５ａ、４５ｂの外側底部４７ａ、４７ｂ（図示省略）がガイド収納空間２４ａ、２４ｂに露出するようになり、これにより、ガイド収納空間２４ａ、２４ｂの一部が塞がった状態となっている。
【００４０】
リセプタクル２０にプラグ１０が挿入されると、図５（ａ）に示すように、ガイド部材１２ａ、１２ｂがガイド収納空間２４ａ、２４ｂ内に挿入されると同時に、係止部材４５ａ、４５ｂが係止部材４５ａと係止部材４５ｂが離れる方向（図５（ａ）の矢印方向）にスライド移動し、それによって開口部２１ｄ内に飛び出ていた係止突片４８ａ、４８ｂが、ブロック体２３ａ、２３ｂ方向にスライド移動し、シャッター部材４０の係止が解除され、突出部１５の差込口３５への挿入が可能となる。
【００４１】
すなわち、図１、図７に示すように、プラグ１０がリセプタクル２０に差し込まれていない状態（図７（ａ）参照）では、係止部材４５ａ、４５ｂがバネ体３３ａ、３３ｂによりハウジング内方に付勢され、開口部２１ｄ内に突出した係止突片４８ａ、４８ｂによりシャッター部材４０が差込口３５付近に保持されている。
【００４２】
リセプタクル２０へのプラグ１０の差込が開始され、プラグ１０の突出部１５よりも下方へ垂下した位置に設けられたガイド部材１２ａ、１２ｂのみがガイド収納空間２４ａ、２４ｂに挿入されると（図７（ｂ）参照）、係止部材４５ａ、４５ｂの底部にガイド部材１２ａ、１２ｂの先端が当接し、バネ体３３ａ、３３ｂの付勢力に抗して係止部材４５ａ、４５ｂが移動し始める。しかし、この移動途中において、ガイド部材１２ａ、１２ｂが係止突片４８ａ、４８ｂのシャッター部材４０への係止を外す位置まで挿入されないかぎり、シャッター部材４０の押し込みはできない。
【００４３】
更に両コネクタ１０、２０の接続が進むと、ガイド部材１２ａ、１２ｂがガイド収納空間２４ａ、２４ｂ内の所定位置まで挿入され、この挿入により係止部材４５ａ、４５ｂの係止突片４８ａ、４８ｂが開口部２１ｄから引っ込むと、シャッター部材４０の係止が解除され、このシャッター部材４０の係止が解除された後に挿入される高さに設けられた突出部１５の差込口３５への挿入が開始される。この場合は、既にシャッター部材４０が上下動自在であるため、突出部１５がシャッター部材４０をバネ体２６ａ、２６ｂの付勢力に抗して直接リセプタクルハウジング２１内部に押し込み、両コンタクト１４、２８の接続が行われる（図７（ｃ）参照）。
【図面の簡単な説明】
【００４４】
【図１】図１は、本発明の実施例に係るリセプタクルコネクタとプラグコネクタとからなる電気コネクタを示す側面図、
【図２】図２は、リセプタクルコネクタを示す外観斜視図、
【図３】図３は、図２の分解斜視図、
【図４】図４は、図３の係止部材を拡大して示す斜視図、
【図５】図５は、リセプタクルコネクタの各構成部品を示し、図５（ａ）はリセプタクルハウジングを示す斜視図、図５（ｂ）はカバー体を示す斜視図、
【図６】図６は、リセプタクルコネクタのカバー体を取り外した図を示し、図６（ａ）は概観斜視図、図６（ｂ）は図６（ａ）から更にシャッター機構を取り外した概観斜視図、
【図７】図７は、係止部材及びシャッター部材の移動状態を示す斜視図、側断面図、及び要部拡大断面図、
【図８】図８は、既に公知のシャッター機構を備えた電気コネクタを示す正面図、
【図９】図９は、図８の電気コネクタのリセプタクルコネクタを示す外観斜視図であって、図９（ａ）はプラグが接続される前の差込口がシャッター部材で閉鎖されている状態を示す図、図９（ｂ）はシャッター部材がリセプタクルコネクタの差込口内へ押し込まれた状態を示す図。
【符号の説明】
【００４５】
１              電気コネクタ
１０            プラグコネクタ（プラグ）
１１            プラグハウジング
１２ａ、１２ｂ  ガイド部材
１４            プラグ側コンタクト
２０            リセプタクルコネクタ（リセプタクル）
２１            リセプタクルハウジング
２１ｄ          開口部
２１ｅ          係止穴
２３ａ、２３ｂ  ブロック体
２４ａ、２４ｂ  ガイド収納空間
２５ａ、２５ｂ  突出部
２６ａ、２６ｂ  バネ体
２８            リセプタクル側コンタクト
３０            カバー体
３２            係止部
３３ａ、３３ｂ  バネ体
３５            差込口（開口部）
４０            シャッター部材
４１ａ、４１ｂ  開口部
４２ａ、４２ｂ  小突起
４５ａ、４５ｂ  係止部材（Ｕ字状枠体）
４６ａ、４６ｂ  内側開口部
４８ａ、４８ｂ  係止突片
【図１】
2006004842.tif 000003
【図２】
2006004842.tif 000004
【図３】
2006004842.tif 000005
【図４】
2006004842.tif 000006
【図５】
2006004842.tif 000007
【図６】
2006004842.tif 000008
【図７】
2006004842.tif 000009
【図８】
2006004842.tif 000010
【図９】
2006004842.tif 000011